(57)【要約】【課題】医療装置であって、超音波処理するボリュームの中に超音波をフォーカスするために、超音波処理周波数が調整可能な超音波トランスデューサを含む高強度フォーカス超音波システムを含む。【解決手段】超音波トランスデューサは、容量性マイクロマシン製トランスデューサアレイを含む。マシンで実行可能なインストラクションが実行されると、プロセッサは、患者の中のターゲット領域を記述した治療プランを受け取り；治療プランを使用して患者を通ってターゲット領域までの横断距離を決定し、横断距離は超音波トランスデューサからターゲット領域までの超音波の横断を記述したものであり；ターゲット領域上へ超音波処理ボリュームをフォーカスするための横断距離を使用して超音波処理周波数を決定し；かつ、超音波処理周波数帯において高強度フォーカス超音波システムを使用してターゲット領域を超音波処理する。【選択図】  図７
2020078613.tif 000002
【特許請求の範囲】
【請求項１】
医療装置であって、
超音波処理ボリュームの中に超音波をフォーカスするために、超音波処理周波数が調整可能な超音波トランスデューサを含む高強度フォーカス超音波システムであり、前記超音波トランスデューサは、第１の容量性マイクロマシン製トランスデューサアレイを含む、高強度フォーカス超音波システムと、
前記医療装置をコントロールするためのプロセッサと、
マシンで実行可能なインストラクションを保存するためのメモリと、を含み、
前記インストラクションが実行されると、前記プロセッサは、
患者の中のターゲット領域を記述した治療プランを受け取り、
前記治療プランを使用して、前記患者を通って前記ターゲット領域までの横断距離を決定し、前記横断距離は前記超音波トランスデューサから前記ターゲット領域までの超音波の横断を記述したものであり、
前記ターゲット領域上へ前記超音波処理ボリュームをフォーカスするための前記横断距離を使用して、超音波処理周波数を決定し、かつ、
前記超音波処理周波数において前記高強度フォーカス超音波システムを使用して、前記ターゲット領域を超音波処理し、
前記医療装置は、さらに、
画像化ゾーンから磁気共鳴データを取得するための磁気共鳴画像化装置と、を含み、
前記ターゲット領域は前記画像化ゾーンの中に在り、
前記インストラクションが実行されると、さらに、前記プロセッサは、繰り返し、
磁気共鳴画像化システムを使用して前記磁気共鳴データを取得し、
磁気共鳴画像を再構成し、かつ、
前記磁気共鳴画像に従って、前記治療プランを変更し、
前記磁気共鳴データは、熱磁気共鳴データを含み、
前記磁気共鳴画像は、サーモグラフィ磁気共鳴画像であり、
前記インストラクションが実行されると、さらに、前記プロセッサは、
前記磁気共鳴画像化システムを使用して、計画磁気共鳴データを取得し、
計画磁気共鳴画像を再構成し、かつ、
前記計画磁気共鳴画像に従って、前記治療プランを変更する、
医療装置。
【発明の詳細な説明】
【技術分野】
【０００１】
本発明は、高密度焦点式超音波治療法に関する。より特定的には、高密度焦点式超音波治療法のための容量性マイクロマシン製超音波トランスデューサの使用に関する。
【背景技術】
【０００２】
前立腺の高密度焦点式超音波治療（ＨＩＦＵ）アブレーションは、従来は、直腸経由プローブを用いて直腸壁を通じて行われてきた。代替的に、アブレーションは、また、尿道経由プローブを用いて尿道の壁を通じて行うこともできる。尿道経由のアプローチは、直腸経由のアプローチに比べて、いくつかの安全関連の利点を有している。尿道の場所が分かっているので（プローブは尿道の中にある）、不随時の排尿のリスクを増大し得る尿道への意図しない熱的なダメージを回避することがより容易である。さらに、直腸の壁の初めから終わりまで超音波処理をしないので、この敏感な構造物にダメージを与えるリスクが、また、著しく削減される。尿道経由アプローチの主な不利な点は、直腸経由のアプローチに比べて、トランスデューサのために利用可能な空間が、実質的に減少されることである。このことは、従来のピエゾセラミック製またはピエゾ複合材料製のトランスデューサを使用する場合に、基本的にカテーテルトランスデューサの設計を１次元のフェイズドアレイ型に限定してしまう。このことは、また、使用することが可能な超音波処理方法も限定してしまう。
【０００３】
実用的な理由のために、従来のトランスデューサは、比較的に少ない数量の大きなエレメントを用いてうね（ｒｉｄｇｅ）を立てられ、一列に配置されている。つまり、線形（１次元の）アレイである。
【先行技術文献】
【特許文献】
【０００４】
【特許文献１】国際出願第ＷＯ２００２／３２５０６号
【特許文献２】国際出願第ＷＯ２００９／０８２７４０号
【発明の概要】
【発明が解決しようとする課題】
【０００５】
従来のピエゾセラミック製またはピエゾ複合材料製のトランスデューサを使用する場合に、基本的にカテーテルトランスデューサの設計を１次元のフェイズドアレイ型に限定してしまう。このことは、また、使用することが可能な超音波処理方法も限定してしまう。
【課題を解決するための手段】
【０００６】
本発明は、独立請求項において、医療装置、コンピュータプログラム製品、および、医療装置をコントロールする方法を提供する。従属請求項においては、実施例が提供される。
【０００７】
ここにおいて使用される「容量性マイクロマシン製超音波トランスデューサ（ｃａｐａｃｉｔｉｖｅ  ｍｉｃｒｏｍａｃｈｉｎｅｄ  ｕｌｔｒａｓｏｎｉｃ  ｔｒａｎｓｄｕｃｅｒ）」（ＣＭＵＴ）は、マイクロマシン技術を使用して製造された容量性超音波トランスデューサを包含している。マイクロマシン技術は、薄膜製造技術であり、典型的には、集積回路の製造のために使用されるプロセスと同一または類似のものを使用して実行される。
【０００８】
磁気共鳴（ＭＲ）データは、ここにおいては、磁気共鳴画像スキャンの最中の磁気共鳴装置のアンテナによる、原子スピン（ａｔｏｍｉｃ  ｓｐｉｎ）によって発せられたラジオ周波数信号の記録された測定であるとして定義される。磁気共鳴画像法（ＭＲＩ）の画像は、ここにおいては、磁気共鳴画像データベースの中に含まれている原子データに係る再構成された２次元または３次元の視覚化であるとして定義される。この視覚化は、コンピュータを使用して実行することができる。
【０００９】
熱磁気共鳴データは、ここにおいては、磁気共鳴画像スキャンの最中の磁気共鳴装置のアンテナによる、原子スピンによって発せられたラジオ周波数信号の記録された測定であるとして定義される、磁気共鳴温度測定のために使用することができる情報を含んでいる。磁気共鳴温度測定は、温度感受性のパラメータにおける変化を測定することで機能する。自己共鳴温度測定の最中に測定され得るパラメータの実施例は、以下のとおりである。プロトン共鳴周波数シフト、拡散係数、または、緩和時間（ｒｅｌａｘａｔｉｏｎ  ｔｉｍｅ）Ｔ１及び/又はＴ２における変化であり、磁気共鳴を使用して温度を測定するために使用され得る。プロトン共鳴周波数シフトは、温度依存性である。個々のプロトン、水素原子が経験する磁場は、周辺の分子構造に依存するからである。温度の上昇は、温度が水素結合に影響するため分子スクリーニングを減少させる。このことが、プロトン共振周波数の温度依存性をもたらしている。熱マップ、温度マップ、または、サーモグラフィ磁気共鳴画像を、熱磁気共鳴データから再構成することができる。
【００１０】
プロトン密度は、平衡磁化の線形性に依存している。従って、プロトン密度重み付け画像を使用して温度変化を判断することができる。
【００１１】
緩和時間Ｔ１、Ｔ２、およびＴ２スター（ときどきＴ２＊と記載される）も、また、温度依存性である。Ｔ１、Ｔ２、およびＴ２スターの重み付け画像に係る再構成が、従って、熱または温度マップを再構成するために使用され得る。
【００１２】
温度は、また、水溶液の中の分子のブラウン運動に影響する。従って、パルス拡散勾配スピンエコー（ｐｕｌｓｅｄ  ｄｉｆｆｕｓｉｏｎ  ｇｒａｄｉｅｎｔ  ｓｐｉｎ  ｅｃｈｏ）といった、拡散係数を測定することができるパルスシーケンスが、温度を測定するために使用され得る。
【００１３】
磁気共鳴を使用して温度を測定する最も役に立つ方法のうちの一つは、水プロトンのプロトン共振周波数（ＰＲＦ）シフトを測定することによるものである。プロトンの共振周波数は、温度依存性である。ボクセル（ｖｏｘｅｌ）の中で温度が変化するので、周波数シフトは、水プロトンの測定された位相の変化を生じさせる。２つの位相画像間の温度変化が、従って、判断される。温度判断に係るこの方法は、他の方法に比べて比較的に速いということで利点を有している。ＰＲＦ方法は、ここにおいて、他の方法よりも多く詳細が説明される。しかしながら、ここにおいて説明される方法および技術は、また、磁気共鳴画像方法を用いて温度測定を実行する他の方法に対しても適用できる。
【００１４】
「コンピュータで読取り可能なストレージ媒体」は、ここにおいて使用されるように、コンピューティングデバイスのプロセッサによって実行可能なインストラクションを保管することができるあらゆる有形のストレージ媒体を含んでいる。コンピュータで読取り可能なストレージ媒体は、コンピュータで読取り可能な固定ストレージ媒体として参照されてよい。コンピュータで読取り可能なストレージ媒体は、また、固定のコンピュータで読取り可能な媒体として参照されてもよい。いくつかの実施例において、コンピュータで読取り可能なストレージ媒体は、また、コンピューティングデバイスのプロセッサによってアクセスし得るデータを保管することもできる。コンピュータで読取り可能なストレージ媒体の実施例は、これらに限定されるわけではないが、以下のものを含んでいる。フロッピー（登録商標）ディスク、磁気ハードディスクドライブ、半導体ハードドライブ、フラッシュメモリ、ＵＳＢサムドライブ、ランダムアクセスメモリ（ＲＡＭ）、読出し専用メモリ（ＲＯＭ）、光ディスク、光磁気ディスク、および、プロセッサのレジスタファイル、である。光ディスクの実施例は、コンパクトディスク（ＣＤ）およびデジタル多目的ディスク（ＤＶＤ）を含んでいる。例えば、ＣＤ−ＲＯＭ、ＣＤ−ＲＷ、ＣＤ−Ｒ、ＤＶＤ−ＲＯＭ、ＤＶＤ−ＲＷ、または、ＤＶＤ−Ｒディスクである。コンピュータで読取り可能なストレージ媒体という用語は、また、ネットワークまたは通信リンクを介してコンピュータデバイスによってアクセスされ得る種々のタイプの記録媒体も参照する。例えば、データは、モデム、インターネット、または、ローカルエリアネットワークにわたり、リトリーブされてよい。
【００１５】
「コンピュータメモリ」または「メモリ」は、コンピュータで読取り可能なストレージ媒体の一つの実施例である。コンピュータメモリは、プロセッサに対して直接的にアクセス可能なあらゆるメモリである。コンピュータメモリの実施例は、これらに限定されるわけではないが、ＲＡＭメモリ、レジスタ、および、レジスタファイル、を含んでいる。
【００１６】
「コンピュータストレージ」または「ストレージ」は、コンピュータで読取り可能なストレージ媒体の一つの実施例である。コンピュータストレージは、あらゆる不揮発性のコンピュータで読取り可能なストレージ媒体であってよい。コンピュータストレージの実施例は、これらに限定されるわけではないが、以下のものを含んでいる。ハードディスクドライブ、ＵＳＢサムドライブ、フロッピー（登録商標）ディスクドライブ、スマートカード、ＤＶＤ、ＣＤ−ＲＯＭ、および、半導体ハードドライブ、である。いくつかの実施例において、コンピュータストレージは、また、コンピュータメモリであってよく、または、その逆も同様である。「コンピュータストレージ」または「ストレージ」に対する参照は、おそらく複数のストレージであるものとして解釈されるべきである。ストレージは、例えば、同一のコンピュータシステムの中の複数のストレージであってよい。ストレージは、また、複数のコンピュータシステムまたはコンピューティングデバイスの中に分散された複数のストレージであってよい。
【００１７】
「コンピュータ」は、ここにおいて使用されるように、プロセッサを含んでいるデバイスであり、デバイスを包含している。プロセッサは、プログラムまたはマシンで実行可能なインストラクションを実行することができる電子的コンポーネントである。「プロセッサ」を含んでいるコンピューティングデバイスに対する参照は、おそらく一つ以上のプロセッサを含んでいるものとして解釈されるべきである。コンピューティングデバイスという用語も、また、それぞれがプロセッサを含んでいるコンピューティングデバイスの集合またはネットワークをおそらく参照するものとして解釈されるべきである。多くのプログラムは、インストラクションが多くのプロセッサによって実行されるようにする。プロセッサは、同一のコンピューティングデバイスの中にあってよく、または、複数のコンピューティングデバイスにわたって分散されてもよい。
【００１８】
「ユーザインターフェイス」は、ここにおいて使用されるように、ユーザまたはオペレータが、コンピュータまたはコンピュータシステムとインタラクションできるようにするインターフェイスである。ユーザインターフェイスは、オペレータに対して情報またはデータを提供し、及び/又は、オペレータから情報またはデータを受け取ることができる。ディスプレイまたはグラフィックユーザインターフェイス上のデータまたは情報の表示は、オペレータに対する情報提供の一つの実施例である。以下のものを通じてデータを受け取ることは、全てがオペレータから情報またはデータを受け取る実施例である。キーボード、マウス、トラックボール、タッチパッド、ポイントスティック、グラフィックタブレット、ジョイスティック、ゲームパッド、ウェブカム、ヘッドセット、ギアスティック、操縦ホイール、有線グローブ、ダンスパッド、リモートコントロール、および、加速度計、である。
【００１９】
本発明の一つの態様において、医療装置が提供される。本医療装置は、超音波処理するボリュームの中に超音波をフォーカスするために、超音波処理周波数が調整可能な超音波トランスデューサを含む高強度フォーカス超音波システムを含む。前記超音波トランスデューサは、第１の容量性マイクロマシン製トランスデューサアレイを含む。本医療装置は、さらに、前記医療装置をコントロールするためのプロセッサを含む。本医療装置は、さらに、マシンで実行可能なインストラクションを保管するためのメモリを含む。前記インストラクションが実行されると、前記プロセッサは、患者の中のターゲット領域を記述した治療プランを受け取る。いくつかの実施例において、治療プランは、ターゲット領域を超音波処理するように高強度フォーカス超音波システムをコントロールするためにプロセッサが使用し得るインストラクションを含んでいる。他のいくつかの実施例において、治療プランは、ターゲット領域を超音波処理するように高強度フォーカス超音波システムをコントロールするためのそうしたインストラクションを生成するために使用され得るデータを含んでいる。
【００２０】
インストラクションが実行されると、プロセッサは、さらに、前記治療プランを使用して、前記患者を通って前記ターゲット領域までの横断距離を決定する。前記横断距離は前記超音波トランスデューサから前記ターゲット領域までの超音波の横断を記述したものである。異なる実施例において、横断距離は、異なる形式であり、または、他のデータを結合してよい。例えば、いくつかの場合に、超音波トランスデューサを含むカテーテルが患者の中に配置される。この場合、横断距離は、患者の内部または外部表面からターゲット領域までの距離である。他の実施例においては、トランスデューサと患者との間にジェルパッド及び/又は水タンクといったものが存在し得る。インストラクションが実行されると、プロセッサは、さらに、前記ターゲット領域上へ超音波処理ボリュームをフォーカスするための横断距離を使用して、超音波処理周波数を決定する。いくつかの実施例において、ターゲット領域上へ超音波処理ボリュームをフォーカスすることは、周波数を選択することを含み、超音波エネルギのより大きな部分が、周辺組織よりもターゲット領域にデポジット（ｄｅｐｏｓｉｔ）される。インストラクションが実行されると、プロセッサは、さらに、前記超音波処理周波数帯において前記高強度フォーカス超音波システムを使用して、前記ターゲット領域を超音波処理する。いくつかの実施例において、全ての容量性マイクロマシン製トランスデューサは、同一の超音波処理周波数において動作する。他の実施例においては、一部の容量性マイクロマシン製トランスデューサだけが所与の超音波処理周波数において動作し、一方、他のエレメントは別の周波数で動作する。
【００２１】
この実施例は、容量性マイクロマシン製トランスデューサが、周波数範囲を可能にする非常に大きなバンド幅を有するので有益である。超音波の周波数は、患者の中においてどの深さでエネルギがデポジットされるかに影響する。従って、バンド幅の中で周波数を選択して、ターゲット領域にデポジットされるエネルギ量を最大化することができる。
【００２２】
この実施例は、また、ターゲット領域と保護される領域との間の温度勾配を最大化できるので、有益である。保護される領域は、加熱することが望ましくない患者の部位、または、既定の安全な閾値以下に温度を維持する患者の部位である。
【００２３】
別の実施例において、医療装置は、さらに、画像化ゾーンから磁気共鳴データを取得するための磁気共鳴画像化装置を含む。前記ターゲット領域は前記画像化ゾーンの中に在る。前記インストラクションが実行されると、さらに、前記プロセッサは、繰り返し、磁気共鳴画像化システムを使用して前記磁気共鳴データを取得し、磁気共鳴画像を再構成する。本方法は、さらに、前記磁気共鳴画像に従って、前記治療プランを変更するステップを含む。この実施例は、磁気共鳴画像化システムによって治療プランの調整とコントロールができるので有益である。磁気共鳴画像化システムは、クローズドループコントロールの一部であってよい。
【００２４】
別の実施例において、前記磁気共鳴データは、熱磁気共鳴データを含む。前記磁気共鳴画像は、サーモグラフィ磁気共鳴画像である。
【００２５】
この実施例は、磁気共鳴システムが、温度マップを得るために使用され得るサーモグラフィ磁気共鳴画像を測定しているので有益である。温度マップは、超音波処理の効果を直接的に検査するために使用され得る。
【００２６】
別の実施例において、インストラクションが実行されると、さらに、前記プロセッサは、前記磁気共鳴画像化システムを使用して、計画磁気共鳴データを取得する。インストラクションが実行されると、さらに、前記プロセッサは、計画磁気共鳴画像を再構成する。インストラクションが実行されると、さらに、前記プロセッサは、前記計画磁気共鳴画像に従って、前記治療プランを変更する。計画磁気共鳴データは、超音波処理を実行する以前に取得された磁気共鳴データである。例えば、治療プランを変更または記録するために使用することができる。計画磁気共鳴画像は、治療プランの最初の計画または記録のために使用される磁気共鳴データである。患者は、治療プランが案出または作成されたときとは異なる位置にあってもよい。計画磁気共鳴画像を使用して治療プランを記録または変更することは、誤差を軽減することに役立つ。誤差は、超音波トランスデューサを用いて、または、加熱の結果として期待され又は変更されたものとは異なる組織パラメータを用いて、不十分に整列された患者の内部配置によるものである。
【００２７】
別の実施例において、前記医療装置は、さらに、第２の容量性マイクロマシン製トランスデューサアレイとを含む。いくつかの実施例において、第１および第２の容量性マイクロマシン製トランスデューサは、同一または異なる周波数において動作し得る。このことは、それぞれのトランスデューサからの超音波が、独立して超音波を方向付けるために使用し得るので有益である。異なる周波数が存在する場合、それらがハーモニクス（ｈａｒｍｏｎｉｃｓ）でない限り、２つの容量性マイクロマシン製トランスデューサそれぞれからの超音波は、患者の上に独立して重ね合される。
【００２８】
別の実施例において、それぞれの前記容量性マイクロマシン製超音波トランスデューサアレイは、個々にコントロール可能な超音波処理周波数を有している。インストラクションが実行されると、前記プロセッサは、それぞれの前記容量性マイクロマシン製トランスデューサアレイに対する前記超音波処理周波数を決定する。この実施例において、容量性マイクロマシン製超音波トランスデューサは、第１及び/又は第２の容量性マイクロマシン製超音波トランスデューサからの個々の容量性マイクロマシン製超音波トランスデューサであってよい。
【００２９】
別の実施例においては、インストラクションが実行されると、前記プロセッサは、前記横断距離を使用して、前記超音波処理ボリュームを前記ターゲット領域の中にフォーカスするための第１の超音波処理周波数を決定する。第１の超音波処理周波数は、第１の容量性マイクロマシン製トランスデューサアレイの超音波処理周波数として使用されてよい。この場合に、横断距離は、実際に、第１の横断距離であってよく、かつ、距離を表すか、または、第１の容量性マイクロマシン製トランスデューサアレイとターゲット領域との間の距離を記述するものであってよい。インストラクションが実行されると、前記プロセッサは、さらに、前記横断距離を使用して、前記超音波処理ボリュームを前記ターゲット領域の中にフォーカスするための第２の超音波処理周波数を決定する。この場合、第２の超音波処理周波数は、第２の容量性マイクロマシン製トランスデューサアレイのために使用される超音波処理周波数であってよく、横断距離は、第２の容量性マイクロマシン製トランスデューサアレイとターゲット領域との間の距離を表すか、または、記述をするものであってよい。
【００３０】
インストラクションが実行されると、前記プロセッサは、前記第１の容量性マイクロマシン製トランスデューサアレイに対する前記第１の超音波処理周波数、および、前記第２の容量性マイクロマシン製トランスデューサアレイに対する前記第２の超音波処理周波数を使用している前記高強度フォーカス超音波システムを使用して、前記ターゲット領域を超音波処理する。上述の実施例に係る超音波処理周波数は、実際には、この実施例に関する第１の超音波処理周波数または第２の超音波処理周波数のいずれかであってよい。２つの容量性マイクロマシン製トランスデューサアレイが異なる周波数において動作する場合に、それぞれによって生成される超音波が建設的には足し算されないか、または、お互いに破壊的であるので、この実施例は、有益である。これは、一方が他方のハーモニックであるか否かに依存し得る。これは、また、検討されたポイントのトランスデューサエレメントまでの距離にも依存し得る。ハーモニックでない場合は、所与の時点において建設的または破壊的な共鳴が生じ得るが、それは短い時間だけのことである。異なる周波数は、超音波強度において時間的なビートパターンを生じ得る。
【００３１】
別の実施例において、前記超音波処理周波数は、超音波シミュレーションモデルを使用して決定される。例えば、シミュレーションのモデル化のための差分法、または、レイトレーシング（ｒａｙ  ｔｒａｃｉｎｇ）、または、他のいくつかのシミュレーション方法を実行するコンピュータコードが、周波数帯を決定するために使用されてよい。例えば、一つの領域において加熱を最大化または増大させる超音波周波数を選択するために、モデルが使用され得る。他の実施例において、モデルは、患者に係る一つの領域と別の領域との間の加熱における差異を最大化または増大させるために使用され得る。このことは、加熱することが望まれず、または、所定の温度以下に保持することが望ましい、患者に係る領域が存在する場合に、特に有益である。
【００３２】
別の実施例において、前記医療装置は、さらに、カテーテルを含む。前記カテーテルは、前記超音波トランスデューサを含む。この実施例は、容量性マイクロマシン製超音波トランスデューサが十分に小さく、カテーテルの中に配置され得るので、有益である。これにより、カテーテルは、超音波処理の電気的操作を行うことができ、超音波周波数も調整可能である。
【００３３】
別の実施例において、前記カテーテルは、さらに、遠心端と近位端を有するシャフトを有している。前記遠心端は、前記第１の容量性マイクロマシン製トランスデューサアレイと前記第２の容量性マイクロマシン製トランスデューサアレイを含む。前記カテーテルは、さらに、前記第１の容量性マイクロマシン製トランスデューサアレイと前記第２の容量性マイクロマシン製トランスデューサアレイに対して電力を供給するため、および、前記第１の超音波処理周波数と第２の超音波処理周波数をコントロールするための、前記近位端におけるコネクタとを含む。この実施例は、独立してコントロールすることができる異なる容量性マイクロマシン製超音波トランスデューサアレイを有するカテーテルを提供するので、有益である。このことは、より正確または効果的な超音波処理を結果として生じ得る。
【００３４】
別の実施例において、前記第１の容量性マイクロマシン製トランスデューサアレイは第１の調整可能なフォーカスを有し、かつ、前記第２の容量性マイクロマシン製トランスデューサアレイは第２の調整可能なフォーカスを有している。調整可能なフォーカスは、ここにおいて、フォーカスの電気的コントロールを包含している。個別のアレイが複数存在している。個々の容量性マイクロマシン製トランスデューサのそれぞれに対して、位相及び/又は振幅が個別にコントロールされ得る。容量性マイクロマシン製トランスデューサのそれぞれによって生成される超音波の建設的および破壊的な干渉により、超音波処理ボリュームがわずかにシフトされ、または、移動され得る。周波数の変更または調整の組合せにおいて、このことにより、超音波ボリュームのずっとより詳細なコントロールが可能である。第１の超音波周波数と第２の超音波周波数がハーモニクスでないか、または、同一でない場合、第１および第２の容量性マイクロマシン製トランスデューサアレイからの超音波が、異なるボリュームに向かって方向付けされ得る。この場合、前記超音波処理ボリュームは、第１および第２の容量性マイクロマシン製トランスデューサアレイからの超音波処理ボリュームの重ね合わせである。
【００３５】
別の実施例において、前記遠心端には、前記第１の容量性マイクロマシン製トランスデューサアレイおよび前記第２の容量性マイクロマシン製トランスデューサアレイに電力供給し、かつ、前記第１の容量性マイクロマシン製トランスデューサアレイおよび前記第２の容量性マイクロマシン製トランスデューサアレイの電気的コントロールを提供する、ための少なくとも一つの集積回路を含む。前記カテーテルは、さらに、前記少なくとも一つの集積回路と前記コネクタとの間にデータバスを含む。データバスにより、コンピュータまたは他のシステムは、集積回路をコントロールすることができる。いくつかの実施例において、集積回路は、また、容量性マイクロマシン製超音波トランスデューサのそれぞれの周波数も個別にコントロールされるようにできる。個々の容量性マイクロマシン製超音波トランスデューサは、従って、種々の周波数において動作し得る。このことにより、トランスデューサを用いて、超音波処理のずっとより良いコントロールができる。
【００３６】
本発明の別の態様においては、医療装置をコントロールするプロセッサによる実行のためのマシンで実行可能なインストラクションを含むコンピュータプログラムを提供する。前記医療装置は、超音波処理するボリュームの中に超音波をフォーカスするために、超音波処理周波数が調整可能な超音波トランスデューサを有する高強度フォーカス超音波システムを含む。前記超音波トランスデューサは、第１の容量性マイクロマシン製トランスデューサアレイを含む。インストラクションが実行されると、前記プロセッサは、患者の中のターゲット領域を記述した治療プランを受け取る。インストラクションが実行されると、前記プロセッサは、さらに、前記治療プランを使用して、前記患者を通って前記ターゲット領域までの横断距離を決定する。前記横断距離は前記超音波トランスデューサから前記ターゲット領域までの超音波の横断を記述したものである。インストラクションが実行されると、前記プロセッサは、さらに、前記ターゲット領域上へ超音波処理ボリュームをフォーカスするための横断距離を使用して、超音波処理周波数を決定する。インストラクションが実行されると、前記プロセッサは、さらに、前記超音波処理周波数帯において前記高強度フォーカス超音波システムを使用して、前記ターゲット領域を超音波処理する。このコンピュータプログラムの利点は、以前に述べている。
【００３７】
本発明の別の態様においては、高強度フォーカス超音波システムを含む医療装置をコントロールする方法を提供する。前記高強度フォーカス超音波システムは、超音波処理するボリュームの中に超音波をフォーカスするために、超音波処理周波数が調整可能な超音波トランスデューサを含む。前記超音波トランスデューサは、第１の容量性マイクロマシン製トランスデューサアレイを含む。前記方法は、患者の中のターゲット領域を記述した治療プランを受け取るステップを含む。前記方法は、さらに、前記治療プランを使用して、前記患者を通って前記ターゲット領域までの横断距離を決定するステップを含む。前記横断距離は、前記超音波トランスデューサから前記ターゲット領域までの超音波の横断を記述したものである。前記方法は、さらに、前記ターゲット領域上へ超音波処理ボリュームをフォーカスするための横断距離を使用して、超音波処理周波数を決定するステップを含む。前記方法は、さらに、前記超音波処理周波数帯を使用する前記高強度フォーカス超音波システムを使用して、前記ターゲット領域を超音波処理するステップとを含む。この方法の利点は、以前に述べている。
【図面の簡単な説明】
【００３８】
以降の本発明に係る好適な実施例は、実施例としてだけ、そして、図面に関して説明される。
【図１】図１は、容量性マイクロマシン製超音波トランスデューサアレイの２つの実施例を示している。
【図２】図２は、本発明の一つの実施例に従った、カテーテルを示している。
【図３】図３は、本発明のさらなる実施例に従った、カテーテルを示している。
【図４】図４は、本発明のさらなる実施例に従った、カテーテルの使用を示している。
【図５】図５は、本発明のさらなる実施例に従った、カテーテルを示している。
【図６】図６は、本発明のさらなる実施例に従った、カテーテルを示している。
【図７】図７は、本発明の一つの実施例に従った、フローチャートを示している。
【図８】図８は、本発明のさらなる実施例に従った、フローチャートを示している。
【図９】図９は、本発明の一つの実施例に従った、医療装置を示している。
【図１０】図１０は、本発明のさらなる実施例に従った、医療装置を示している。
【図１１】図１１は、吸収超音波エネルギをミリ単位での深さの関数として示している。
【図１２】図１２は、３つの異なる場所における吸収超音波エネルギを周波数の関数として示している。
【発明を実施するための形態】
【００３９】
これらの図面において類似の番号が付けられたエレメントは、均等なエレメントであるか同一の機能を実行するかのいずれかである。以前に説明されたエレメントは、その機能が均等である場合には、後の図面において説明されることを必ずしも要しない。
【００４０】
図１では、容量性マイクロマシン製超音波トランスデューサに係る２つのアレイの実施例４０２、４０４が示されている。容量性マイクロマシン製超音波トランスデューサアレイ１０２は、第１の電気的接続１０８と第２の電気的接続１１０を有している。アレイ２０１は、従来の圧電素子（ｐｉｅｚｏｅｌｅｃｔｒｉｃ  ｅｌｅｍｅｎｔ）が動作する方法で単一のトランスデューサエレメントとして機能するように配線されている。作画１１２は、アレイ１０２の拡大図を示している。個々の容量性マイクロマシン製超音波トランスデューサ１１４を視認することができる。トランスデューサ１１４それぞれは、第１の電気的接続１０８と第２の電気的接続１１０に接続されていることが視認され得る。この実施例において結果として生じるアレイ１０２は、超音波処理周波数に対する広い帯域を有する。しかしながら、個々の容量性マイクロマシン製超音波トランスデューサに係る個々の電子性、位相および振幅、コントロールは可能ではない。帯域は、主に個々のエレメント１１４のサイズによって決定される。エレメント膜の厚さも同様である。
【００４１】
容量性マイクロマシン製超音波トランスデューサアレイ１０４は、線形アレイ（ｌｉｎｅａｒ  ａｒｒａｙ）として配置されている。トランスデューサのそれぞれの列に対して一組の第１の電気的接続１１６と第２の電気的接続１１８が存在している。作画１２０は、アレイ１０４の詳細な拡大図である。個々の容量性マイクロマシン製超音波トランスデューサ１２２は、第１の電気的接続１１６と第２の電気的接続１１８に接続されているものとして示されている。接続１２４と１２６は、第１の電気的接続１１６と第２の電気的接続１１８の組から選択される。線形アレイを形成する容量性マイクロマシン製超音波トランスデューサアレイは、グループとしてコントロールされる。超音波処理の周波数、振幅、および、位相は、アレイ全体に対して決定される。他の実施例も、また構成され得る。例えば、個々の容量性マイクロマシン製超音波トランスデューサに対して超音波処理周波数、振幅、及び/又は、位相がコントロール可能なアレイを構成することが可能である。
【００４２】
図２は、本発明の一つの実施例に従ったカテーテルの遠心端２００を示している。この実施例においては、前方視リングアレイ２０２が存在している。穴２０８を囲んで容量性マイクロマシン製超音波トランスデューサアレイが存在する。リングアレイ２０２の後方には、側方視アレイ２０４のパネルが在る。アレイ２０４は、カテーテルのシャフトの周りにリングを形成している。この図面に示されているのは、種々の電気的接続２０６である。前方視リングアレイ２０２は、３次元画像を提供するといったことのために使用され得る。側方視アレイ２０４は、超音波アブレーションとモニタリングのために使用され得る。個々の容量性マイクロマシン製超音波トランスデューサは、超音波アブレーションの最中にビーム操縦のために使用され得る。それぞれのアレイ２０４に提供される超音波の周波数は、独立してコントロールすることができる。この実施例の利点は、カテーテルを機械的に回転させる必要が無いか、または、最小であることを含んでいる。穴２０８は、追加の器具、または、水洗浄のために使用されてよい。図２に示される実施例は、複数の方向でフォーカスすることができ、そうしたことにより、プローブ周りの全３６０°の前立腺アブレーションを同時に、または、最小の回転を用いて実行することができる。このことは、より少ない治療時間を結果として生じ、従って、コストも削減する。
【００４３】
大きなブロックアレイまたは線形アレイにおける容量性マイクロマシン製超音波トランスデューサの配線に加えて、個々のマイクロマシン製超音波トランスデューサも、また、それ固有のソースによって個々に駆動されてよい。
【００４４】
図３は、フォーカスが機械的に調整されるカテーテル３００を示している。カテーテルは、容量性マイクロマシン製超音波トランスデューサアレイ３０２を有している。この実施例におけるアレイは、フレキシブルであっても、リジッドであってもよい。示されているのは、アレイ３０２それぞれの間のフレキシブルエレメント３０３である。ライン３０４は、アレイ３０２によって生成される超音波の一般的なパス（ｐａｔｈ）である。超音波３０４は、ターゲット領域３０６において集中される。全てのアレイ３０２は、カテーテル３００のシャフト３１０の遠心端３０８上に配置されている。遠心端３０８は屈曲している。このことは、アレイ３０２の集合に対して、ターゲット領域３０６の中に超音波を集中させる。そうした構成は、機械的に調整することができる。例えば、カテーテルの中にチューブ３１２を配置することができ、シャフト３１０に対して強固に又は半強固に取り付けられる。チューブ３１２の中にはケーブル３１４があってよい。ケーブルは、チューブ３１２を通じてカテーテル３００の遠心端３０８まで延びている。遠心端３０８は、例えば、ばね性材料を有するか又は与圧されている。このことにより、遠心端３０８の自然な曲率を生じている。ケーブルが３１６の方向に引かれるか又は移動される場合、このことはケーブル３１４を短くし、それにより遠心端３０８は直線状にされる。このことは、カテーテル３００のフォーカスを変更する。ケーブル３１４も、また、リンクを操作するために使用され得る。カテーテルを能動的に操縦又はガイドするために、いくつかの実施例においては、このカテーテルの機械的な調整が使用され得る。別の言葉で言えば、遠心端の位置を機械的に調整するために、フォーカスタマに対する機械的な調整が使用され得る。機械的なフォーカスに加えて、個々のアレイ３０２は、また、アレイ３０２それぞれの超音波処理周波数のコントロールに加えた電気的位相または振幅もコントロールし得る。
【００４５】
実施例として図３を使用すると、３０４とラベル付けされたラインは、また、容量性マイクロマシン製トランスデューサ３０２間の横断距離を表している。この場合、プローブの遠心端３０８は曲がっており、容量性マイクロマシン製トランスデューサ３０２のそれぞれは、超音波フォーカス３０６から概ね同じ距離に在る。他の実施例において、横断距離３０４は、容量性マイクロマシン製トランスデューサ３０２のそれぞれに対して違ってもよい。手術の最中に、ターゲット領域、または、このケースではフォーカス３０６を記述した治療プランが受け取られる。次に、横断距離（tｒａｖｅｒｓａｌ  ｄｉｓｔａｎｃｅ）３０４が、治療プランを使用して、患者からターゲット領域に対して決定される。横断距離は、超音波トランスデューサからターゲット領域までの超音波の横断を記述したものである。複数の容量性マイクロマシン製トランスデューサアレイの場合に、横断距離は、実際に、複数の距離であってよい。次に、ターゲット領域上へ超音波処理ボリュームをフォーカスするための超音波処理周波数が、横断距離を使用して決定される。複数の容量性マイクロマシン製トランスデューサアレイの場合には、容量性マイクロマシン製トランスデューサアレイのそれぞれに対して計算された独立の周波数が存在してよい。最終的に、容量性マイクロマシン製トランスデューサアレイは、決定された超音波処理周波数において動作する。
【００４６】
図４は、前立腺４０２を治療するために使用される本発明の一つの実施例に従ったカテーテル４００を示している。カテーテル４００は、前立腺を通じて膀胱４０４の中に挿入されている。この実施例において、カテーテル４００の遠心端４０６は、容量性マイクロマシン製超音波トランスデューサアレイ４０７を有している。遠心端４０６を曲げるメカニカルアクチュエータ４０８が存在している。メカニカルアクチュエータ４０８をコントロールするためのケーブル４１０が存在する、図４に示された実施例は、有利なものであるとして示され得る。カテーテル４００が膀胱の中に挿入され、次に、前立腺４０２が超音波処理できるように、メカニカルアクチュエータ４０８を使用して、容量性マイクロマシン製超音波トランスデューサアレイ４０７を位置決めするからである。この実施例の利点は、カテーテル４００により、膀胱から前立腺の超音波処理ができることである。膀胱における追加の機械的な自由度は、カテーテルの位置決めを促進し、効果的に前立腺のいくつかの領域に到達し、それにより、健康な組織の損傷のリスクを削減している。
【００４７】
図５は、本発明の一つの実施例に５０４と近位端５０６を伴うシャフト５０２を有している。遠心端５０４には、複数の容量性マイクロマシン製超音波トランスデューサアレイ５０８が存在している。アレイ５０８のそれぞれは、近位端５０６におけるコネクタ５１２に対する自身の電気的接続を有している。電気が供給されると、アレイ５０８は、シャフト５０２に隣接した又は横にあるターゲット領域５１４に超音波エネルギをデポジット（ｄｅｐｏｓｉｔ）する。
【００４８】
図６は、本発明の一つの実施例に従って、カテーテル６００のさらなる実施例を示している。図６に示される実施例は、図５に示されたものと非常に類似しているが、いくつかの機能が追加されてきている。この実施例において、アレイ５０８のそれぞれは、コネクタ５１２に直接的に接続される代わりに、集積回路６０２に対して接続されている。集積回路６０２は、データバス５１０’によってコネクタ５１２に接続される。データバスは、電力とデータ接続の両方を提供するように機能している。データバス５１０’を介して集積回路６０２は、個々のアレイ５０８をどのように駆動するかのインストラクションを受け取る。集積回路６０２は、また、遠心端５０４の先端において圧力または流れセンサ６０４に接続されているように示されている。集積回路６０２は、また、アレイ５０８の中に取り付けられた温度センサ６０６に接続されているものとして示されている。実施例に応じて、アレイ５０８と集積回路６０２は、アブレーションのために、及び/又は、診断上の超音波処理を実行するために使用され得る。コネクタ５１２には、また、流体冷却インレット６０８も在る。流体冷却インレット６０８は、チューブ６１０に接続されている。チューブは、遠心端を冷却するために、冷却流体を遠心端に搬送するように適合されている。遠心端５０４の先端には、アウトレット６１２が在る。遠心端５０４は、シール６１４を用いて分離されており、チューブの中に入ってくる冷却水または冷却流体をアウトレット６１２を通じて追い出される。他の実施例においては、コネクタ５１２に、戻りチューブおよび流体冷却アウトレットが存在し得る。
【００４９】
図７は、本発明の一つの実施例に従った方法を説明するフローチャートを示している。最初に、ステップ７００において、治療プランが受け取られる。治療プランは、患者の中のターゲット領域を記述している。次に、ステップ７０２において、治療プランを使用して、横断距離が決定される。横断距離は、超音波トランスデューサからターゲット領域閾値発生回路への超音波の横断を記述している。次に、ステップ７０４において、超音波ボリュームをターゲット領域の上にフォーカスするために、横断距離を使用して、超音波処理周波数が決定される。最後に、ステップ７０６において、高強度フォーカス超音波システムを使用して、超音波処理周波数においてターゲット領域が超音波処理される。
【００５０】
図８は、本発明のさらなる実施例に従った方法を説明するフローチャートを示している。最初に、ステップ８００において、治療プランが受け取られる。再び、治療プランは、患者の中のターゲット領域を記述している。次に、ステップ８０２において、治療プランを使用して、横断距離が決定される。横断距離は、超音波トランスデューサからターゲット領域閾値発生回路への超音波の横断を記述している。次に、ステップ８０４において、超音波ボリュームをターゲット領域の上にフォーカスするために、横断距離を使用して、超音波処理周波数が決定される。次に、ステップ８０６において、高強度フォーカス超音波システムを使用して、超音波処理周波数においてターゲット領域が超音波処理される。ステップ８０８は、判断ボックスであり、質問は超音波処理が終了したかである。超音波処理が終了した場合に、本方法は、ステップ８１０に進み、終了する。超音波処理が終了していない場合、本方法は、ステップ８１２に進む。ステップ８１２において、磁気共鳴データが取得される。これは、磁気共鳴画像化システムを使用して獲得することができる。次に、ステップ８１４において、磁気共鳴データを使用して、磁気共鳴画像が再構成される。いくつかの実施例において、磁気共鳴データは、磁気共鳴データを含んでいる。この場合には、磁気共鳴画像は、温度マップを含んでよい。次に、ステップ８１６において、磁気共鳴画像に従って、治療プランが変更される。例えば、治療の最中に患者が移動した場合、または、患者の所定の部位が熱過ぎるか又は十分に加熱されていない場合、治療プランは、調整され、または、変更され得る。本方法は、次に、ステップ８０２に戻り、再び、治療プランを使用して、横断距離が決定される。本方法は、このように、ステップ８０８において超音波処理が終了したことが決定されるまで、繰り返し続き、本方法は、ステップ８１０で終了する。
【００５１】
図９は、本発明の一つの実施例に従った医療装置９００を示している。この図に示されるように、カテーテル９０４を挿入された患者が存在している。カテーテル９０４は、ターゲット領域９０８の近傍に遠心端９０６を有している。カテーテル９０４は、以前の実施例において説明されたタイプのものであってよい。カテーテル９０４は、カテーテルインターフェイス９１０に接続されている。カテーテルインターフェイス９１０は、カテーテル９０４に対してコントロールと電力供給機能を提供する。高強度フォーカス超音波システム９１１は、カテーテル９０４とカテーテルインターフェイス９１０との組み合わせである。他のタイプの高強度フォーカス超音波システムも、また、実施されてよい。例えば、容量性マイクロマシン製トランスデューサアレイによって囲まれたカップのような構造体の中に挿入された乳房を治療するために使用されるアレイも、また、本発明に従った一つの実施例である。同様に、容量性マイクロマシン製トランスデューサから大きな超音波トランスデューサが作り出されてもよく、子宮筋腫を加熱するために使用されるものと類似のシステムにおいて使用されてよい。
【００５２】
この実施例において、カテーテルインターフェイス９１０は、コンピュータ９１２のハードウェアインターフェイス９１４に接続されている。コンピュータ９１２は、さらに、ハードウェアインターフェイスとユーザインターフェイス９１８とも通信するプロセッサ９１６、コンピュータストレージ９２０、および、コンピュータメモリ９２２を含んでいる。プロセッサ９１６は、ハードウェアインターフェイス９１４を介してカテーテルインターフェイス９１０の動作および機能をコントロールすることができる。
【００５３】
コンピュータストレージは、治療プラン９２４を含んでいるものとして示されている。コンピュータストレージは、さらに、治療プラン９２４を使用して計算された横断距離９２６を含んでいるものとして示されている。コンピュータストレージ９２０は、さらに、横断距離９２６を使用して計算された超音波処理周波数９２８を含んでいるものとして示されている。
【００５４】
コンピュータメモリ９２２は、横断距離計算モジュール９３０を含んでいるものとして示されている。横断距離計算モジュール９３０は、コンピュータで実行可能なインストラクションを含み、プロセッサは、治療プラン９２４を使用して横断距離９２６を計算することができる。コンピュータメモリ９２２は、さらに、超音波処理周波数決定モジュール９３２を含んでいるものとして示されている。超音波処理周波数決定モジュール９３２は、さらに、マシンで実行可能なインストラクションを含み、横断距離９２６を使用して超音波処理周波数９２４を計算することができる。コンピュータメモリ９２２は、さらに、高強度フォーカス超音波システムコントロールモジュール９３４を含んでいるものとして示されている。高強度フォーカス超音波システムコントロールモジュール９３４は、コンピュータで実行可能なコードを含み、プロセッサは、治療プラン９２４を使用して、カテーテルインターフェイス９１０をコントロールできるようにするコマンドを生成することができる。
【００５５】
そうした医療装置９００を使用することにおいて、手術者は、カテーテル９０４を患者９０２の中に挿入することができる。カテーテル９０４のフォーカスが調整可能なので、プロセッサ９１６は、ターゲット領域９０８がカテーテル９０４によって加熱されるように、カテーテルインターフェイス９１０に対してコマンドを送付することができる。ターゲット領域は、カテーテル９０４によってコントロール可能に加熱され、コンピュータシステム９１２によって自動的にコントロールされている。
【００５６】
図１０は、本発明のさらなる実施例に従った医療装置１０００を示している。図１０に示された医療装置１０００は、追加的に磁気共鳴画像化システム１００１が存在することの他は図９に示した医療装置と同様である。
【００５７】
磁気共鳴画像化システム１００１は、磁石１００２を含んでいる。磁石１００２は、円筒タイプの超伝導磁石である。磁石は、超電導コイルを伴う液体窒素冷却の低温槽を有している。永久磁石または抵抗性磁石を使用することもできる。異なるタイプの磁石を使用することも可能であり、例えば、円筒分割磁石とオープン磁石と呼ばれる磁石の両方を使用することもできる。円筒分割磁石は、低温槽が２つのセクションに分割されて磁石のイソプレイン（ｉｓｏ−ｐｌａｎｅ）にアクセスすることができることを除いて、標準的な円筒磁石と同様である。そうした磁石は、例えば、荷電粒子ビーム治療に関連して使用され得る。オープン磁石は、２つの磁石セクションを有している。間に患者を受け入れるのに十分なスペースを伴って一方が他方の上にあり、２つのセクション領域の配置は、ヘルムホルツコイル（Ｈｅｌｍｈｏｌｔｚ  ｃｏｉｌ）のものと同様である。患者の制限がより少ないので、オープン磁石は評判が良い。円筒磁石の低温槽の内側には、超電導コイルの集合が存在している。円筒磁石のボアの中には、磁気共鳴画像化を実行するのに十分に強くて均一な磁場である画像化ゾーン１００５が存在している。
【００５８】
磁石のボア１００３の中には、磁場勾配コイル１００４が存在しており、磁場勾配コイル電源１００６によって電流供給される。磁場勾配コイル１００４は、磁気共鳴データの取得の最中に、磁石１００２の画像化ゾーン１００５の中での磁気スピンを空間的にエンコードするために使用される。磁場勾配コイル１００４は、代表的なものであることが意図されている。典型的な磁場勾配コイルは、３つの直交する空間方向における空間的なエンコードのために、３つの分離したコイルセットを含んでいる。磁場勾配コイル１００４に供給される電流は、時間の関数としてコントロールされ、ランプまたはパルス形状であってよい。
【００５９】
磁石のボア１００３の中には、画像化ゾーン１００５が存在しており、磁場は、磁気共鳴画像化を実行するため十分に均一である。画像化ゾーン１００５に隣接してアンテナ１００８が存在する。アンテナ１００８は、トランシーバ１０１０に接続されている。ラジオ周波数アンテナ１００８は、画像化ゾーン１００５の中で磁気スピンの向きを操作するためのものであり、画像化ゾーンの中におけるスピンからのラジオ伝送を受信するためのものでもある。ラジオ周波数アンテナは、複数のコイルエレメントを含んでいる。ラジオ周波数アンテナは、チャネルとしても参照されてよい。ラジオ周波数コイルは、ラジオ周波数トランシーバ１０１０に接続されている。ラジオ周波数コイルとラジオ周波数帯トランシーバ１０１０は、別個の送信および受信コイルと別個の送信器及び受信器と置き換えられてよい。ラジオ周波数アンテナは、また、専用の送信アンテナおよび専用の受信アンテナを表すようにも意図されている。同様に、トランシーバ１０１０も、また、別個の送信器及び受信器を表してよい。
【００６０】
患者９０２は、患者サポート１０１２の上に載っているように見えている。図９のように、カテーテル９０４が、患者９０２の中に挿入されている。トランシーバ１０１０、勾配コイル電源１００６、および、カテーテルインターフェイス９０４は、全てがコンピュータシステム９１２のハードウェアインターフェイスの接続されているように示されている。図１０におけるコンピュータシステム９１２は、図９におけるコンピュータシステムと同等なものである。コンピュータメモリ９２２の中に保管されている種々のソフトウェアコンポーネントおよびコンピュータストレージ９２０のコンテンツは、２つの図面において同等である。
【００６１】
コンピュータストレージ９２０は、パルスシーケンス１０２０を追加的に含んでいるように示されている。パルスシーケンス１０２０は、一式のコマンドであり、磁気共鳴画像化システム１００１をコントロールするため、または、磁気共鳴画像化システム１００１をコントロールするためのコマンドを生成するため、のいずれかで使用され得る。コンピュータストレージ９２０は、パルスシーケンス１０２０を使用して取得された磁気共鳴データ１０２１を追加的に含んでいるように示されている。コンピュータストレージ９２０は、また、パルスシーケンス１０２０を使用して取得された熱磁気共鳴データ１０２２を含んでいるように示されている。コンピュータストレージ９２０は、磁気共鳴データ１０２１を使用して再構成された磁気共鳴画像１０２４を含んでいるように示されている。コンピュータストレージ９２０は、さらに、熱磁気共鳴データ１０２２を使用して再構成された熱磁気共鳴画像１０２６を含んでいるように示されている。コンピュータストレージ９２０は、さらに、計画磁気共鳴データ１０２８を含んでいるように示されている。コンピュータストレージ９２０は、さらに、計画磁気共鳴データ１０２８を使用して再構成された計画熱磁気共鳴画像１０３０を含んでいるように示されている。
【００６２】
コンピュータメモリ９２２は、磁気共鳴画像化システムコントロールモジュール１０３２を含んでいるように示されている。磁気共鳴画像化システムコントロールモジュール１０３２は、コンピュータで実行可能なコードを含んでおり、プロセッサ９１６は、パルスシーケンス１０２０を使用して、磁気共鳴画像化システム１００１の動作と機能をコントロールするためのコマンドを生成することができる。コンピュータメモリ９２２は、さらに、画像再構成モジュール１０３４を含んでいる。画像再構成モジュール１０３４は、コンピュータで実行可能なコードを含んでおり、プロセッサ９１６は、磁気共鳴データ１０２１から磁気共鳴画像１０２４を再構成することができる。磁気共鳴画像化システムコントロールモジュール１０３２は、また、計画磁気共鳴データ１０２８から計画磁気共鳴画像１０３０を生成または再構成するためにも使用され得る。コンピュータメモリ９２２は、さらに、熱マッピングモジュール１０３６を含んでいるように示されている。熱マッピングモジュール１０３６は、コンピュータで実行可能なコードを含んでおり、プロセッサ９１６は、熱磁気共鳴データ１０２２からサーモグラフィ磁気共鳴画像１０２６を再構成することができる。
【００６３】
コンピュータメモリ９２２は、さらに、治療プラン変更モジュール１０３８を含んでいる。治療プラン変更モジュール１０３８により、プロセッサ９１６は、磁気共鳴画像１０２４、熱磁気共鳴画像１０２６、及び/又は、計画磁気共鳴画像１３０を使用して、治療プラン９２４を変更することができる。コンピュータメモリ９２２は、さらに、画像登録モジュール１０２４を含んでいるように示されている。画像登録モジュール１０２４は、コンピュータで実行可能なコードを含んでおり、磁気共鳴画像１０２４、熱磁気共鳴画像１０２６、及び/又は、計画磁気共鳴画像１３０を患者１００２と供に登録するためにプロセッサ９１６によって使用され得る。画像登録モジュール１０４０は、例えば、治療プラン変更モジュール１０３８によって使用され得る。コンピュータメモリ９２２は、また、超音波シミュレーションモジュール１０４２を含んでいるように示されている。超音波シミュレーションモジュール１０４２は、コンピュータで実行可能なコードを含んでおり、プロセッサ９１６は、カテーテル９０６によって生成される超音波の効果をシミュレーションすることができる。超音波シミュレーションモジュール１０４２は、治療プラン変更モジュール１０３８と関連して使用され得る。
【００６４】
従来的には、ピエゾセラミック製またはピエゾ複合材料製のトランスデューサが、経尿道ＨＩＦＵにおいて使用されてきた。このことは、尿道の中の制限された利用可能な空間のために、１次元（１Ｄ）位相アレイだけが可能であることを、多かれ少なかれ意味している。ＣＭＵＴ技術の使用により、このことは、もはや当てはまらなくなり、２次元（２Ｄ）アレイが尿道の中に容易にフィットすることができ、高度に操縦可能なアレイも存在する。このことは、より洗練された超音波処理方法の使用を可能にし、かつ、より洗練されたフィードバック方法の使用も可能にしている。いくつかの実用的な制限を伴ってビームの操縦と軌道が可能になる。そして、周波数は、さらに、素早く、かつ、電子部品の変更が要求されることなく連続的な周波数帯を通じて変更することができる。従って、以前は可能でなかった前立腺アブレーションのために、より複雑なフィードバックアルゴリズムを考案できる。さらに、カテーテルの断面が、例えば六角形状であれば、同時にいくつかの半径方向において超音波処理を行い、コントローラできる。
【００６５】
容量性マイクロマシン製トランスデューサ（ＣＭＵＴ）は、最近、尿道経由の前立腺ＨＩＦＵアブレーションに対して明るい見込みを示している。ＣＭＵＴを達成することが可能な周波数帯は、典型的にはピエゾトランスデューサに対するものよりも高く、大きな範囲の浸透深さが必要とされるアプリケーションに対してＣＭＵＴをより適合するものとしている。これらのＣＭＵＴは、また、尿道経由のＨＩＦＵアブレーションを行う新たな方法ができるようにする可能性の新たな範囲も提供している。
【００６６】
１次元フェイズドアレイは、典型的には圧電アレイを使用して構成されたものとして、非常に粗いフィードバックコントロールしかできず、フェイズドアレイに沿って、エレメントごとに出力が変化し得る。２次元フェイズドアレイピエゾトランスデューサは、今度は、尿道の空間の中にフィットするのが難しい。ＣＭＵＴ２次元アレイは、エレメントの振幅がより小さく、尿道の中にフィットすることができ、他のいくつかの利点も有し得るものである。
【００６７】
尿道経由のＣＭＵＴを用いて前立腺の中でビーム操作を行うことができる。このことにより、今度は、コントロールアルゴリズムを、従来から外部トランスデューサを使用したＨＩＦＵ治療だけに適用されている尿道経由の前立腺のために使用することができる。例えば、温度及び/又は熱照射量を前立腺の異なる部位においてコントロールすることができる。避ける領域を定義して、次に、どの領域をアプリケーションするか（一般的に全腺治療の場合には前立腺の残りの部分）を定義することによる。異なるバージョンの２次元または３次元ＰＩＤコントローラを、例えば、使用することができ、または、目標温度と比較して最も温度が違う現在加熱されているボリュームの中のそうした領域を加熱することによるものでもよい。後者のアプローチは、また、次の温度アップデートが取得される以前に加えることができるエネルギを考慮することも必要である。方法それ自体は、むしろ既によく知られたものであり、フィードバックコントロールの他の方法も使用することができる。
【００６８】
ＣＭＵＴにより、典型的にかなり広いトランスデューサの周波数帯の中で自由に周波数を選択することもできる。ピエゾ基盤のトランスデューサは、せいぜい少し（例えば、最も一般的には１つまたは２つ）の個別の周波数しか選択することができない。このことにより、さらに別のパラメータを変更することができる。局所的に吸収された超音波エネルギに対する等式は、単一の組織における平面波（ｐｌａｎａｒ  ｗａｖｅ）に対して、吸収を通じた損失だけを仮定する（つまり、減衰係数を吸収係数と同等とする）と、以下のようである。
【数１】
2020078613.tif 000003
ここで、ｐは組織表面における圧力であり、ｆは超音波の周波数であり、ｘは組織内の移動距離である。そして、等式において、δは密度、ｃは光速度、αは組織の吸収（減衰に等しい）である。
【００６９】
この関係は、図１１にプロットされている。図１１は、吸収超音波エネルギ１１０２をミリ単位での深さ１１００の関数として示している。これらは、減衰上での吸収の線形な依存性を仮定して算出された値である。３つの値がプロットされている。５ＭＨｚにおける吸収１１０４、１０ＭＨｚにおける吸収１１０８、および、２０ＭＨｚにおける吸収１１０８である。深さが浅いところでは、最高の２０ＭＨｚ周波数１１０８が最も良い吸収を有しており、一方、中間の深さのところでは、１０ＭＨｚ１１０６の方が優れており、１５ｍｍより深いところでは、５ＭＨｚ周波数１１０４が最も良い。この実施例においては、５Ｎｐ／ＭＨｚ／ｍのアルファ(α）が仮定されている。
【００７０】
所定の深さｘに対して、ＵＳエネルギの吸収量を最大にする最適な周波数が存在する。周波数は、以下の等式によって与えられる。
【数２】
2020078613.tif 000004
吸収は、周波数に対して線形に変化するという仮定を未だに使用している。この仮定が全体としては維持されないとしても、吸収を最大化するための周波数は存在し、より長い浸透深さが所望であれば周波数はより低くなる。
【００７１】
図１２は、周波数の関数として所与の目標深さにおける吸収を示している。図１２は、３つの異なる場所における吸収超音波エネルギを周波数１２００の関数として示している。１２０４とラベル付けされた曲線は５ｍｍにおけるものであり、１２０６とラベル付けされた曲線は１０ｍｍにおけるものであり、そして、２０ｍｍにおける曲線は１２０８である。この実施例において、５ｍｍ１２０４における最大吸収は２０ＭＨｚにあるように見え、１０ｍｍ１２０６における最大吸収は１０ＭＨｚ、２０ｍｍ１２０８における最大吸収は５ＭＨｚにある。この実施例においても、５Ｎｐ／ＭＨｚ／ｍのアルファ(α）が仮定されている。
【００７２】
例えば、前立腺被膜に近い場合には、必ずしも、最大の吸収を提供する周波数が望ましいとうこともない。そうした場合、吸収エネルギにおいてより早い低下（ｄｒｏｐ−ｏｆｆ）を提供する周波数の方が望ましいことがある。被膜および前立腺の直接的に外側にある潜在的に敏感なあらゆる組織を、加熱し過ぎることから守るためである。再び、線形な関係を仮定すると、所定の距離での吸収における最大低下（吸収の導関数の最大値）が、最大の吸収を提供する周波数の２倍の周波数において得られる。
【００７３】
最後に、一つ以上の半径方向がＣＭＵＴエレメントによってカバーされている場合には、いくつかの方向において同時に加熱が行われる。それぞれの過熱２次元アレイによって加熱された前立腺部分は、例えば六角形状断面の場合には８カ所、上述のように、取得されたＭＲ画像に応じて、２次元または３次元において個々にコントロールされ得る。
【００７４】
本発明の実施例は、周波数がコントロール変数のうちの一つであるようにするコントロールアルゴリズムを含んでいる。従来のピエゾトランスデューサは、使用できる別個の周波数を少ししか有していないが、一方、ＣＭＵＴは、選択できる広域の連続的な周波数帯を有している。スイッチング周波数は、新たな周波数帯において最大の出力圧力に達するために、少しの超音波（ＵＳ）サイクルを典型的に必要とする。この持続時間は、エレメントの位相が電気的操作の最中に変化する場合に類似している。図１１と図１２は、使用する周波数帯を変更することにより、吸収における実質的な改善がなされ得ることを示している。前立腺被膜に近い場合には、必ずしも、最大の吸収が望ましいとうこともない。そうした場合、吸収エネルギにおいてより早い低下を提供する周波数の方が望ましいことがある。被膜を加熱し過ぎることから守るためである。神経束に近いときも同様に適用され得る。最大の低下速度を提供する周波数は最大の吸収を提供する周波数より高いので、最良の周波数は、２つの周波数の間に存在し得る。音響および温度シミュレーションも、また、使用されるべき最良の周波数の見積りを提供することを助成している。
【００７５】
超音波処理周波数を変更することは、短い浸透深さに対して、および、２次元アレイの小さな寸法によって一方向における操作が制限される場合にも、特に価値がある。このことは、尿道経由の前立腺アブレーション及び/又は超音波処理の温熱療法（ｈｙｐｅｒｔｈｅｒｍｉａ）に対しても当てはまる。これらは、従って、こうした見識から利益を得る可能性が高いアプリケーションである。
【００７６】
本発明の実施例は、尿道経由のＨＩＦＵアブレーションに適用することができる。尿道経由の前立腺アブレーションは、また、侵入型カテーテルベースのＨＩＦＵアプリケーションであり得るので、有益である。超音波処理によって温熱療法が誘起されるアプリケーションは、ちょうどアブレーションのアプリケーションと同じくらい有益である。ＨＩＦＵアブレーションは、加熱によって直接的に組織を死滅させるために使用される。一方、ＨＩＦＵ誘起の温熱療法は、放射線治療に対して組織を敏感にするために使用することができ、局所的な薬剤の配送、および、例えば局所的な遺伝子治療及び/又圧搾のために使用され得る。
【００７７】
本発明は、図面または前出の記載において、その詳細が説明され記述されてきたが、そうした説明および記載は、説明的または例示的なものであり、制限的なものではないと考えられるべきである。つまり、本発明は、開示された実施例に限定されるものではない。
【００７８】
図面、明細書、および添付の特許請求の範囲を研究すれば、クレームされた本発明の実施において、当業者によって、開示された実施例に対する他の変形が理解され、もたらされ得る。請求項において、用語「含む（“ｃｏｍｐｒｉｓｉｎｇ“」は、他のエレメントまたはステップの存在を排除するものではなく、不定冠詞「一つの（”ａ“または”ａｎ“）」は、複数を排除するものではない。単一のプロセッサまたは他のユニットは、請求項で述べられる数個のアイテムに係る機能を満たし得る。特定の手段が、お互いに異なる従属請求項の中で引用されているという事実だけでは、これらの手段の組合せが有利に使用され得ないことを示すものではない。コンピュータプログラムは、光記録媒体もしくはハードウェアと供に、またはハードウェアの一部として提供される半導体媒体といった、好適な媒体上に記録され、配布され得る。しかし、インターネット、または他の有線もしくは無線の電子通信システムを介するといった、他の形式においても配布され得る。請求項におけるいかなる参照番号も、発明の範囲を限定するものと解釈されるべきではない。
【符号の説明】
【００７９】
１０２  容量性マイクロマシン製超音波トランスデューサアレイ
１０４  容量性マイクロマシン製超音波トランスデューサアレイ
１０８  第１の電気的接続
１１０  第２の電気的接続
１１２  アレイ１０２の拡大図
１１４  容量性マイクロマシン製超音波トランスデューサ
１１６  一組の第１の電気的接続セット
１１８  一組の第２の電気的接続セット
１２０  アレイ１０４の拡大図
１２２  容量性マイクロマシン製超音波トランスデューサ
１２４  第１の電気的接続
１２６  第２の電気的接続
２００  カテーテルの遠心端
２０２  前方視リングアレイ
２０４  側方視リングアレイ
２０５  シャフト
２０６  電気的接続
２０８  穴
３００  カテーテル
３０２  容量性マイクロマシン製超音波トランスデューサアレイ
３０３  フレキシブルエレメント
３０４  超音波のパス
３０６  ターゲット領域
３０８  遠心端
３１０  シャフト
３１２  チューブ
３１４  ケーブル
３１６  ケーブル移動方向
４００  カテーテル
４０２  前立腺
４０４  膀胱
４０６  遠心端
４０７  容量性マイクロマシン製超音波トランスデューサアレイ
４０８  メカニカルアクチュエータ
４１０  ケーブル
５００  カテーテル
５０２  シャフト
５０４  遠心端
５０６  近位端
５０８  容量性マイクロマシン製超音波トランスデューサアレイ
５１０  電気的接続
５１０’  データバスと電力供給
５１２  コネクタ
５１４  ターゲット領域
６００  カテーテル
６０２  プロセッサ
６０４  流れ又は圧力センサ
６０６  温度センサ
６０８  流体冷却インレット
６１０  チューブ
６１２  アウトレット
６１４  シール
９００  医療装置
９０２  患者
９０４  カテーテル
９０６  遠心端
９０８  ターゲット領域
９１０  カテーテルインターフェイス
９１１  高強度フォーカス超音波システム
９１２  コンピュータ
９１４  ハードウェアインターフェイス
９１６  プロセッサ
９１８  ユーザインターフェイス
９２０  コンピュータストレージ
９２２  コンピュータメモリ
９２４  治療プラン
９２６  横断距離
９２８  超音波処理周波数
９３０  横断距離計算モジュール
９３２  超音波処理周波数決定モジュール
９３４  高強度フォーカス超音波システムコントロールモジュール
１０００  医療装置
１００１  磁気共鳴画像化システム
１００２  磁石
１００３  磁石のボア
１００４  磁場勾配コイル
１００５  画像化ゾーン
１００６  磁場勾配コイル電源
１００８  アンテナ
１０１０  トランシーバ
１０１２  患者サポート
１０２０  パルスシーケンス
１０２１  磁気共鳴データ
１０２２  熱磁気共鳴データ
１０２４  磁気共鳴画像
１０２６  サーモグラフィ磁気共鳴画像
１０２８  計画磁気共鳴データ
１０３０  計画磁気共鳴画像
１０３２  磁気共鳴画像化システムコントロールモジュール
１０３４  画像再構成モジュール
１０３６  熱マッピングモジュール
１０３８  治療プラン変更モジュール
１０４０  画像登録モジュール
１０４２  超音波シミュレーションモジュール
１１００  深さ（ミリ）
１１０２  吸収エネルギ
１１０４  ５ＭＨｚに対する浸透深さの関数としての吸収
１１０６  １０ＭＨｚに対する浸透深さの関数としての吸収
１１０８  ２０ＭＨｚに対する浸透深さの関数としての吸収
１２００  周波数  ＭＨｚ
１２０２  吸収エネルギ
１２０４  ５ｍｍにおける周波数の関数としての吸収
１２０６  １０ｍｍにおける周波数の関数としての吸収
１２０８  ２０ｍｍにおける周波数の関数としての吸収
【図１】
2020078613.tif 000005
【図２】
2020078613.tif 000006
【図３】
2020078613.tif 000007
【図４】
2020078613.tif 000008
【図５】
2020078613.tif 000009
【図６】
2020078613.tif 000010
【図７】
2020078613.tif 000011
【図８】
2020078613.tif 000012
【図９】
2020078613.tif 000013
【図１０】
2020078613.tif 000014
【図１１】
2020078613.tif 000015
【図１２】
2020078613.tif 000016
【外国語明細書】
2020078613000001.pdf